(57)【要約】【課題】液体収容体の口部に装着する際に、接続されているチューブに捩れが生じないコネクタを提供する。【解決手段】コネクタ１０は、液体収容体２０の口部２１の外周面に形成された雄ねじ２２と螺合する雌ねじ１１ａを内周面に有するキャップ体１１と、チューブ３０が接続される接続穴１２ｃを有し、キャップ体１１に対して回転自在に設けられたチューブ接続体１２、キャップ体１１とチューブ接続体１２との間に設けられ、これらの間から液体が漏れ出ることを防止する漏れ防止体１３と、キャップ体１１に設けられ、口部の内周面と嵌合する短円筒部１２ｅとを備える。【選択図】図１
2014233489.tif 000002
【特許請求の範囲】
【請求項１】
チューブが接続された状態で、液体収容体の外周面に雄ねじが形成された口部に装着されるコネクタであって、
前記雄ねじと螺合する雌ねじを内周面に有するキャップ体と、
前記チューブが接続される接続部を有し、前記キャップ体に対して回転自在に設けられたチューブ接続体と、
前記キャップ体と前記チューブ接続体との間に設けられ、これらの間から液体が漏れ出ることを防止する漏れ防止体と、
前記キャップ体又は前記チューブ接続体に設けられ、前記口部の内周面と嵌合する嵌合部とを備えることを特徴とするコネクタ。
【請求項２】
請求項１に記載のコネクタであって、
前記キャップ体又は前記チューブ接続体に設けられ、口部に設けられた膜を穿通可能な穿通部を備えることを特徴とするコネクタ。
【請求項３】
請求項１又は請求項２に記載のコネクタであって、
前記嵌合部は、前記チューブ接続体に設けられることを特徴とするコネクタ。
【発明の詳細な説明】
【技術分野】
【０００１】
本発明は、チューブが接続された状態で、液体収容体の口部に装着されるコネクタに関する。
【背景技術】
【０００２】
従来、食事等を口から摂取できない場合の療法として、患者の腹部に形成された胃ろうにチューブを挿入し、このチューブを介して、ボトルやバッグ等の液体収容体に収容された栄養剤、流動食、薬剤等といった経腸栄養剤を患者に投与する経腸栄養療法が知られている。
【０００３】
また、従来、患者の静脈に輸液ライン用のチューブを挿入し、このチューブを介して、ボトルやバッグ等の液体収容体に収容されたブドウ糖等の栄養成分や薬剤成分を含む輸液を患者に投与する静脈栄養療法も知られている。
【０００４】
これらのような療法に用いられている液体収容体は、口部にキャップが装着された状態で流通している。液体収容体にチューブを接続する際には、キャップを取り外し、その代わりに、チューブが接続されたコネクタを液体収容体の口部に装着する。コネクタは、液体収容体の口部の雄ねじと螺合する雌ねじが内周面に形成されると共に、チューブが接続される接続部を備えている（例えば、特許文献１，２参照）。
【先行技術文献】
【特許文献】
【０００５】
【特許文献１】特開平８−９８８８５号公報
【特許文献２】特開２００９−１３１５９５号公報
【発明の概要】
【発明が解決しようとする課題】
【０００６】
しかし、チューブが接続されたコネクタを液体収容体の口部に装着する際、液体収容体の口部の雄ねじとコネクタの雌ねじとを螺合するために、液体収容体に対してコネクタを回転させるので、コネクタに接続されたチューブが捩れるおそれがある。チューブが捩れると、使い勝手が悪化する、チューブが外れ易くなる、患者に余分な力が作用するなどの問題が生じる。
【０００７】
本発明は以上の点に鑑みてなされたものであり、液体収容体の口部に装着する際に、接続されているチューブに捩れが生じないコネクタを提供することを目的とする。
【課題を解決するための手段】
【０００８】
本発明のコネクタは、チューブが接続された状態で、液体収容体の外周面に雄ねじが形成された口部に装着されるコネクタであって、前記雄ねじと螺合する雌ねじを内周面に有するキャップ体と、前記チューブが接続されるチューブ接続部を有し、前記キャップ体に対して回転自在に設けられたチューブ接続体と、前記キャップ体と前記チューブ接続体との間に設けられ、これらの間から液体が漏れ出ることを防止する漏れ防止体と、前記キャップ体又は前記チューブ接続体に設けられ、前記口部の内周面と嵌合する嵌合部とを備えることを特徴とする。
【０００９】
本発明によれば、液体収容体の口部にコネクタを装着する際、即ち、液体収容体の口部の雄ねじにキャップ体の雌ねじを螺合させるように、キャップ体を回転させながら液体収容体に向けて押し込む際、チューブ接続体はキャップ体に対して回転自在であるので、チューブ接続体に接続されたチューブには捩れが生じない。
【００１０】
また、液体収容体の口部にコネクタが装着された状態では、口部の雄ねじとキャップ体の雌ねじとが螺合しているので、これらの間が密閉され、その隙間から液体が漏れ出ることはない。さらに、前記状態では、嵌合部が口部の内周面と嵌合するので、これらの間が密閉され、その隙間から液体が漏れ出ることはない。
【００１１】
このように、液体収容体の口部にコネクタを装着することによって、コネクタと液体収容体との隙間から液体が漏れ出ることが二重に防止されている。さらに、漏れ防止体によって、常時、キャップ体とチューブ接続体との隙間から液体が漏れ出ることはない。
【００１２】
また、本発明のコネクタにおいて、前記キャップ体又は前記チューブ接続体に設けられ、口部に設けられた膜を穿通可能な穿通部を備えることが好ましい。
【００１３】
この場合、液体収容体の口部にコネクタを装着する際に、膜が穿通部で穿通されるので、液体収容体の内部の液体が漏れ出るおそれがない。
【００１４】
また、本発明のコネクタにおいて、前記嵌合部は、前記チューブ接続体に設けられることが好ましい。
【００１５】
この場合、液体収容体の口部の内周面と嵌合部が嵌合した後、雄ねじにキャップ体の雌ねじを螺合させるように、キャップ体を回転させながら液体収容体に向けて押し込む際、口部に対してチューブ接続体が回転し難くなり、チューブにより捩れが生じ難い。
【図面の簡単な説明】
【００１６】
【図１】本発明の実施形態に係るコネクタを示す横断面図。
【図２】チューブが接続され、液体収容体の口部に装着された状態を示すコネクタの横断面図。
【図３】本発明の実施形態に第１の変形例に係るコネクタを示す横断面図。
【図４】本発明の実施形態に第１の変形例の別例に係るコネクタを示す横断面図。
【図５】本発明の実施形態に第２の変形例に係るコネクタを示す横断面図。
【図６】本発明の実施形態に第２の変形例の別例に係るコネクタを示す横断面図。
【発明を実施するための形態】
【００１７】
本発明の実施形態に係るコネクタ１０について説明する。
【００１８】
図１及び図２に示すように、コネクタ１０は、液体収容体２０にチューブ３０を接続するための接続部材である。コネクタ１０は、液体収容体２０の口部２１に装着され、可撓性のチューブ３０が接続可能に構成されている。
【００１９】
液体収容体２０は、例えば、経腸栄養剤や輸液などの液体が収容されたバッグやボトル等の容器である。液体収容体２０の口部２１は、液体収容体２０の上部や下部などに設けられており、外周面に雄ねじ２２が形成されている。チューブ３０は、経腸栄養療法に用いられる医療用チューブや静脈栄養療法に用いられる輸液ライン用のチューブである。
【００２０】
コネクタ１０は、液体収容体２０の口部２１に装着されるキャップ体１１と、チューブ３０が接続されるチューブ接続体１２とを備えており、キャップ体１１とチューブ接続体１２とは回転自在に構成されている。
【００２１】
キャップ体１１は、全体として概略短円筒状であり、その内周面に、液体収容体２０の口部２１の雄ねじ２２と螺合する雌ねじ１１ａが形成されている。そして、キャップ体１１には、口部２１に装着される側と反対側の円筒状の開放端を覆うように蓋部１１ｂが形成されている。この蓋部１１ｂの中央には、円形の貫通孔１１ｃが形成されている。キャップ体１１は、ポリプロピレン（ＰＰ）やポリエチレン（ＰＥ）といった樹脂材料を用いて、一体成形されている。
【００２２】
チューブ接続体１２は、キャップ体１１に形成された貫通孔１１ｃに挿通されている。具体的には、チューブ接続体１２は、貫通孔１１ｃに挿通される長円筒状の長円筒部１２ａを備え、長円筒部１２ａの外径は貫通孔１１ｃの径よりも僅かに小さくなっている。
【００２３】
長円筒部１２ａには、軸方向に延びる貫通孔１２ｂが形成されると共に、貫通孔１２ｂより大径の接続穴１２ｃが形成されている。接続穴１２ｃにチューブ３０が嵌入されることにより、チューブ接続体１２にチューブ３０が接続される。接続穴１２ｃの開放端には、テーパ１２ｄが形成されており、チューブ３０を接続穴１２ｃに嵌入させ易くなっている。
【００２４】
チューブ接続体１２は、さらに、液体収容体２０の口部２１の内径と同等の外径を有する短円筒状の短円筒部１２ｅを備えている。長円筒部１２ａと短円筒部１２ｅとは、これらを接続するドーナツ状の連結部１２ｆと共に一体に形成されている。長円筒部１２ａと短円筒部１２ｅとの軸心は一致している。
【００２５】
短円筒部１２ｅは、キャップ体１１の内周面と対向するように位置している。短円筒部１２ｅの外径は、口部２１の内径と同等に形成されており、短円筒部１２ｅの先端部は口部２１に嵌入可能となっている。短円筒部１２ｅの先端部は、本発明の嵌合部に相当する。
【００２６】
チューブ接続体１２は、ポリプロピレン（ＰＰ）やポリエチレン（ＰＥ）といった樹脂材料を用いて、一体成形されている。
【００２７】
コネクタ１０は、さらに、キャップ体１１とチューブ接続体１２との隙間から液体が漏れないように、漏れ防止体１３を備えている。ここでは、漏れ防止体１３は、キャップ体１１とチューブ接続体１２との間に設けられた、ゴムや樹脂からなるリング状パッキン又はＯリングである。
【００２８】
キャップ体１１の蓋部１１ｂの内側の口部２１側の端部には円周状に切欠１１ｄが形成されている。そして、この切欠１１ｄに漏れ防止体１３が収容され、キャップ体１１の貫通孔１１ｃとチューブ接続体１２の長円筒部１２ａとの隙間から液体が漏れ出ることが防止される。
【００２９】
次に、コネクタ１０の液体収容体２０の口部２１への装着作業について説明する。
【００３０】
予め、チューブ接続体１２の接続穴１２ｃにチューブ３０を嵌入させて、チューブ接続体１２にチューブ３０を接続しておく。
【００３１】
チューブ３０が接続されたコネクタ１０を、液体収容体２０の口部２１に装着する。具体的には、口部２１の雄ねじ２２に、キャップ体１１の雌ねじ１１ａを螺合させるように、キャップ体１１を回転させながら、キャップ体１１を液体収容体２０に向けて押し込む。これにより、チューブ接続体１２は、キャップ体１１の蓋部１１ｂによって、連結部１２ｆが押圧されることにより、キャップ体１１と共に液体収容体２０に向けて押し込まれる。この際、チューブ接続体１２はキャップ体１１に対して回転自在であるので、チューブ接続体１２に接続されたチューブには捩れが生じない。
【００３２】
なお、口部２１に短円筒部１２ｅが嵌合した後、口部２１の雄ねじ２２にキャップ体１１の雌ねじ１１ａを螺合させるように、キャップ体１１を回転させながら液体収容体２０に向けて押し込む際、前記嵌合によって口部２１に対してチューブ接続体１２が回転し難くなり、チューブ３０に捩れがより生じ難くなる。
【００３３】
液体収容体２０の口部２１にコネクタ１０が装着されたとき、口部２１の雄ねじ２２とキャップ体１１の雌ねじ１１ａとが螺合しているので、これらの間が密閉され、その隙間から液体が漏れ出ることはない。
【００３４】
そして、チューブ接続体１２の短円筒部１２ｅの先端部は、口部２１に嵌入されているので、これらの間が密閉され、その隙間から液体が漏れ出ることはない。
【００３５】
このように、コネクタ１０を液体収容体２０の口部２１に装着することによって、コネクタ１０と液体収容体２０との隙間から液体が漏れ出ることは二重に防止されている。
【００３６】
さらに、漏れ防止体１３によって、常時、キャップ体１１とチューブ接続体１２との隙間から液体が漏れ出ることはない。
【００３７】
以下、本発明の実施形態の変形例について説明する。
【００３８】
前述した実施形態では、チューブ接続体１２の短円筒部１２ｅの先端部が口部２１に嵌入される場合について説明した。図３に示すように、第１の変形例では、キャップ体１１と一体に構成された本発明の嵌合部に相当する部材が口部２１に嵌入される。
【００３９】
キャップ体１１の蓋部１１ｂには、口部２１側に延びる円筒形の突壁部１１ｅが形成されている。この突壁部１１ｅの外径は、液体収容体２０の口部２１の内径と同等である。この突壁部１１ｅが本発明の嵌合部に相当する。
【００４０】
なお、この場合、口部２１に突壁部１１ｅが嵌合した後、口部２１の雄ねじ２２にキャップ体１１の雌ねじ１１ａを螺合させるように、キャップ体１１を回転させながら液体収容体２０に向けて押し込む際、前記嵌合によって口部２１に対してキャップ体１１を回転し難くなる。
【００４１】
さらに、キャップ体１１に切欠１１ｄが形成されていない。チューブ接続体１２は、短円筒部１２ｅ及び連結部１２ｆを備えておらず、その代わりに、長円筒部１２ａの口部２１側の端部から半径方向外側に向かって拡がるドーナツ状の拡径部１２ｇを備えている。
【００４２】
そして、漏れ防止体１３は、キャップ体１１の蓋部１１ｂとチューブ接続体１２の拡径部１２ｇとの間に配置される。
【００４３】
また、図４に示すように、チューブ接続体１２が、長円筒部１２ａの中間部に半径方向外側に向かって拡がるドーナツ状の拡径部１２ｈを備えていてもよい。この場合、漏れ防止体１３は、キャップ体１１の蓋部１１ｂとチューブ接続体１２の拡径部１２ｈとの間に配置され、キャップ体１１の外部に位置している。
【００４４】
ただし、この場合、チューブ接続体１２がキャップ体１１から抜け出ることを防止するために、チューブ接続体１２は、長円筒部１２ａの端部に半径方向外側に向かって拡がる抜け止め部１２ｉを備える必要がある。
【００４５】
図５及び図６に示すように、第２の変形例では、液体収容体２０の口部２１に設けられた膜２３を穿通可能な穿通部１２ｊ，１２ｋを、コネクタ１０が備えている。液体収容体２０には、特にキャップを取り外した際や、コネクタ１０を装着する際に、内部の液体が漏れ出ないように、口部２１に樹脂フイルム等からなる膜２３を備えたものがある。
【００４６】
そこで、コネクタ１０が穿通部１２ｊ，１２ｋを備えることにより、液体収容体２０の口部２１にコネクタ１０を装着する際に、膜２３が穿通部で穿通されるので、液体収容体２０の内部の液体が漏れ出るおそれがない。
【００４７】
例えば、図５に示すように、チューブ接続体１２の連結部１２ｆに、口部２１側に延びる矩形板状等の穿通部１２ｊを形成してもよい。
【００４８】
また、図６に示すように、チューブ接続体１２の長円筒部１２ａの口部２１側の端部から口部２１側に延びる円筒状の等の穿通部１２ｋを形成してもよい。
【００４９】
さらに、図３又は図４のようにチューブ接続体１２の連結部１２ｆを備えない場合、図示しないが、キャップ体１１の蓋部１１ｂに口部２１側に延びる矩形板状等の穿通部を形成してもよい。
【００５０】
以上、本発明の実施形態について説明したが、本発明はこれに限定されない。例えば、チューブ接続体１２の接続穴１２ｃにチューブ３０を嵌入させることにより、チューブ接続体１２をチューブ３０に接続しているが、これに限定されない。例えば、チューブ３０にチューブ接続体１２の長円筒部１２ａを嵌入させることにより、チューブ接続体１２をチューブ３０に接続していてもよい。
【符号の説明】
【００５１】
１０…コネクタ、  １１…キャップ体、  １１ａ…雌ねじ、  １１ｂ…蓋部、  １１ｃ…貫通孔、  １１ｄ…切欠、  １１ｅ…突壁部（嵌合部）、  １２…チューブ接続体、  １２ａ…長円筒部、  １２ｂ…貫通孔、  １２ｃ…接続穴（接続部）、  １２ｄ…テーパ、  １２ｅ…短円筒部（嵌合部）、  １２ｆ…連結部、  １２ｇ，１２ｈ…拡径部、  １２ｉ…抜け止め部、  １２ｊ，１２ｋ…穿通部、  １３…漏れ防止体、  ２０…液体収容体、  ２１…口部、  ２２…雄ねじ、  ２３…膜、  ３０…チューブ。
【図１】
2014233489.tif 000003
【図２】
2014233489.tif 000004
【図３】
2014233489.tif 000005
【図４】
2014233489.tif 000006
【図５】
2014233489.tif 000007
【図６】
2014233489.tif 000008